(57)【要約】【課題】企画販売において効率の良い商品収集作業を支援できる商品検索装置、商品検索サーバ、及び商品検索プログラムを提供する。【解決手段】商品検索装置は、情報を表示する表示装置と、情報を入力する入力装置と、商品に貼付された商品コードを読み取る読取装置と、読取装置によって読取った商品コードに基づいて、企画販売に固有に割り当てられる識別子と、企画販売を行う商品の商品コードを含む企画内容を格納する企画マスタを有する商品検索サーバに企画内容を問い合わせ、商品検索サーバが受信した商品コードに基づいて企画マスタを検索し、商品コードが属する識別子を有する商品すべてを読み出して送信した企画内容を受信し、受信した企画内容を表示装置に表示させる制御部と、を備える。【選択図】図８
2015170086.tif 000002
【特許請求の範囲】
【請求項１】
情報を表示する表示装置と、
情報を入力する入力装置と、
商品に貼付された商品コードを読み取る読取装置と、
前記読取装置によって読取った前記商品コードに基づいて、企画販売に固有に割り当てられる識別子と、前記企画販売を行う商品の前記商品コードを含む企画内容を格納する企画マスタを有する商品検索サーバに前記企画内容を問い合わせ、前記商品検索サーバが受信した前記商品コードに基づいて前記企画マスタを検索し、前記商品コードが属する前記識別子を有する商品すべてを読み出して送信した前記企画内容を受信し、受信した前記企画内容を前記表示装置に表示させる制御部と、
を備える商品検索装置。
【請求項２】
前記制御部は、
受信した前記企画内容を、記録媒体に画像形成するプリンタに出力させる請求項１記載の商品検索装置。
【請求項３】
企画販売に固有に割り当てられる識別子と、前記企画販売を行う商品の商品コードを含む企画内容を格納する企画マスタと、
情報を表示する表示装置と、情報を入力する入力装置と、商品に貼付された商品コードを読み取る読取装置と、を備える商品検索装置から、前記読取装置によって読取った前記商品コードに基づいて前記企画内容を問い合わせがあった場合、前記商品検索装置から受信した前記商品コードに基づいて前記企画マスタを検索し、前記商品コードが属する前記識別子を有する商品すべてを読み出して企画内容として前記商品検索装置に送信する制御部と、
を備える商品検索サーバ。
【請求項４】
前記商品検索装置は、
受信した前記企画内容を前記表示装置に表示させる請求項３記載の商品検索サーバ。
【請求項５】
情報を表示する表示装置と、
情報を入力する入力装置と、
商品に貼付された商品コードを読み取る読取装置と、
を備える商品検索装置を、
前記読取装置によって読取った前記商品コードに基づいて、企画販売に固有に割り当てられる識別子と、前記企画販売を行う商品の前記商品コードを含む企画内容を格納する企画マスタを有する商品検索サーバに前記企画内容を問い合わせる問い合わせ手段と、
前記商品検索サーバが受信した前記商品コードに基づいて前記企画マスタを検索し、前記商品コードが属する前記識別子を有する商品すべてを読み出して送信した前記企画内容を受信する受信手段と、
受信した前記企画内容を前記表示装置に表示させる表示手段と、
として機能させるための商品検索プログラム。
【請求項６】
前記商品検索装置を、
受信した前記企画内容を、記録媒体に画像形成するプリンタに出力させる出力手段としてさらに機能させるための請求項５記載の商品検索プログラム。
【発明の詳細な説明】
【技術分野】
【０００１】
本発明の実施形態は、商品検索装置、商品検索サーバ、及び商品検索プログラムに関する。
【背景技術】
【０００２】
ＰＯＳ（Ｐｏｉｎｔ  ｏｆ  ｓａｌｅｓ）システムが導入されている店舗においては、ＰＯＳシステムは会計処理に使用されるだけでなく発注や商品管理にも利用されている。
【０００３】
一方、商品の販売方法は定価販売だけではない。例えば、ミックスアンドマッチや、セット商品など、複数の商品の中から顧客が自由に組み合わせを選択し、この選択された商品を特別価格にて販売するという企画販売がよく行われている。
【０００４】
このような企画販売の場合、企画販売を行う商品をワゴンの上に集めて陳列すると、購買意欲がより高まるという効果がある。
【０００５】
しかし、従来のＰＯＳシステムにおいては、企画販売を行う商品の内容は一覧表示することができなかった。販売店員は別途表計算ソフトなどによってリストアップして印刷したものを見ながら企画販売を行う商品をワゴンの上に集めていたため、工数がかかることや抜け、漏れなどが生じるという問題があった。
【先行技術文献】
【特許文献】
【０００６】
【特許文献１】特開２０１３−１８６４７７号公報
【発明の概要】
【発明が解決しようとする課題】
【０００７】
従って、企画販売において効率の良い商品収集作業を支援できる商品検索装置、商品検索サーバ、及び商品検索プログラムが求められている。
【課題を解決するための手段】
【０００８】
上記の課題を解決するために、本発明の一実施形態は、情報を表示する表示装置と、情報を入力する入力装置と、商品に貼付された商品コードを読み取る読取装置と、読取装置によって読取った商品コードに基づいて、企画販売に固有に割り当てられる識別子と、企画販売を行う商品の商品コードを含む企画内容を格納する企画マスタを有する商品検索サーバに企画内容を問い合わせ、商品検索サーバが受信した商品コードに基づいて企画マスタを検索し、商品コードが属する識別子を有する商品すべてを読み出して送信した企画内容を受信し、受信した企画内容を表示装置に表示させる制御部と、を備える商品検索装置を提供する。
【図面の簡単な説明】
【０００９】
【図１】商品検索装置の平面図である。
【図２】商品検索装置の左側面図である。
【図３】商品検索装置の構成と接続関係を示すブロック図である。
【図４】商品マスタのデータ構成を示す図である。
【図５】企画マスタのデータ構成を示す図である。
【図６】表示装置に表示される商品検索結果である企画商品一覧画面の例を示す図である。
【図７】プリンタから出力される企画一覧帳票の例を示す図である。
【図８】商品検索装置が制御部によって行う企画商品検索動作のフローチャートである。
【発明を実施するための形態】
【００１０】
以下、商品検索装置、商品検索サーバ、及び商品検索プログラムの一実施形態について、図面を用いて詳細に説明する。
【００１１】
図１は、商品検索装置１の平面図である。また、図２は、商品検索装置１の左側面図である。図１及び図２に示すように、商品検索装置１は、携帯して持ち運びができる大きさであり、表示装置であるディスプレイ１１と、入力装置であるキーボード１２と、商品に貼付された商品コードを読み取る読取装置であるスキャナ１３と、を備える。商品検索装置１は、ハンディーターミナルと呼ばれることもある。
【００１２】
ディスプレイ１１は、タッチパネルでもよく、商品検索装置１の見やすい位置に設置される。
【００１３】
キーボード１２は、商品検索装置１の把持部分に設けられ、テンキーの他に企画内容の検索を指示する企画ボタンを備える。
【００１４】
スキャナ１３は、商品検索装置１の先端部に設置され、商品のバーコードを読み取る。
【００１５】
図３は、商品検索装置１の構成と接続関係を示すブロック図である。図３に示すように、商品検索装置１は、演算装置であるＣＰＵ（ｃｅｎｔｒａｌ  ｐｒｏｃｅｓｓｉｎｇ  ｕｎｉｔ）を含む制御部１０１と、メモリ、ハードディスクドライブなどの記憶装置を含む記憶部１０２と、情報を表示する表示部であるディスプレイ１１と、情報を入力する入力装置であるキーボード１２と、読取装置であるスキャナ１３と、通信を行う通信部１０３と、を備える。
【００１６】
記憶部１０２は、企画内容を格納する企画内容ファイル１０２Ａを格納する。また、記憶部１０２は商品検索プログラムを格納し、制御部１０１は記憶部１０２から商品検索プログラムを順次読み出して実行する。
【００１７】
通信部１０３は、記録媒体に画像形成するプリンタ３、及び店舗に１台設置される商品検索サーバであるストアコントローラ２と接続する。通信部１０３はプリンタ３とは例えばブルートゥース（登録商標）などの近距離通信手段によって通信し、ストアコントローラ２とは例えば無線ＬＡＮなどの無線通信手段により通信を行う。
【００１８】
プリンタ３は、商品検索装置１と通信を行う通信部と、記録媒体に画像形成する画像形成部と、を備える。プリンタ３は携帯できる大きさのものが望ましい。
【００１９】
ストアコントローラ２は、演算装置であるＣＰＵを含む制御部２０１と、メモリ、ハードディスクドライブなどの記憶装置を含む記憶部２０２と、通信を行う通信部２０３と、を備える。
【００２０】
記憶部２０２は、商品に固有に割り当てられる識別子である商品コードごとに単価を含む商品に関する情報を格納する商品マスタ２０２Ａと、企画販売に固有に割り当てられる識別子、例えば企画名と、当該企画販売を行う商品の商品コードを含む企画内容を格納する企画マスタ２０２Ｂと、を格納する。
【００２１】
また、記憶部２０２は商品検索プログラムを格納し、制御部２０１は記憶部２０２から商品検索プログラムを順次読み出して実行する。
【００２２】
図４は、商品マスタ２０２Ａのデータ構成を示す図である。図４に示すように、商品マスタ２０２Ａは、商品に固有に割り当てられる識別子である「商品コード」と、商品の名称である「商品名」と、商品の単価である「単価」と、商品の販売部門を示す「部門」と、を格納する。
【００２３】
各データの例は、商品コードが「４８０１２３４５６」、商品名が「雛あられ」、単価が「３５８」、部門が「０１」である。
【００２４】
図５は、企画マスタ２０２Ｂのデータ構成を示す図である。図５に示すように、企画マスタ２０２Ｂは、企画販売に固有に割り当てられる識別子である「企画名」と、企画販売の内容として企画販売を行う商品の「商品コード」、「商品名」、及び企画販売における販売単価である「企画単価」と、を格納する。
【００２５】
各データの例は、企画名が「ひな祭り企画」、商品コードが「４８０１２３４５６」、商品名が「雛あられ」、企画単価が「２５８」である。
【００２６】
図６は、ディスプレイ１１に表示される商品検索結果である企画商品一覧画面６０１の例を示す図である。図６に示すように、企画商品一覧画面６０１は、企画名を表示する企画名表示部６０２と、企画販売を行う商品の一覧を表示する一覧表示部６０３と、を備える。
【００２７】
図７は、プリンタ３から出力される企画一覧帳票７０１の例を示す図である。図７に示すように、商品検索装置１はプリンタ３によって企画名、及び企画販売を行う商品の一覧を記録媒体に画像形成する。
【００２８】
図８は、商品検索装置１が制御部１０１によって行う企画商品検索動作のフローチャートである。図８に示すように、ステップ８０１において、商品検索装置１はキーボード１２の企画ボタンが押下されたかを判定する。商品検索装置１はキーボード１２の企画ボタンが押下されたと判定した場合、ステップ８０２に進み、押下されていないと判定した場合、ステップ８０３に進む。
【００２９】
ステップ８０２において、商品検索装置１は商品に貼付されたバーコードなどの商品コードをスキャナ１３によって読取る。
【００３０】
ステップ８０３において、商品検索装置１は通常の処理を行って処理を終了する。
【００３１】
ステップ８０４において、商品検索装置１は読取った商品コードに基づいて企画内容をストアコントローラ２に問い合わせる。具体的には、商品検索装置１は商品コードと、問合せコマンドと、をストアコントローラ２に送信する。
【００３２】
ステップ８０５において、商品検索装置１は、ストアコントローラ２が受信した商品コードに基づいて企画マスタ２０２Ｂを検索し、当該商品コードが属する企画名を有する商品すべてを読み出して送信した企画内容を受信する。
【００３３】
ステップ８０６において、商品検索装置１はディスプレイ１１に受信した企画内容を企画商品一覧画面として表示する。
【００３４】
ステップ８０７において、商品検索装置１は印刷指示がキーボード１２から入力されたかを判定する。商品検索装置１は印刷指示が入力されたと判定した場合、ステップ８０８に進み、入力されなかったと判定した場合、処理を終了する。
【００３５】
ステップ８０８において、商品検索装置１は企画内容を企画商品一覧帳票としてプリンタ３によって出力する。
【００３６】
以上述べたように、本実施形態の商品検索装置１は、情報を表示するディスプレイ１１などの表示装置と、情報を入力するキーボード１２などの入力装置と、商品に貼付された商品コードを読み取るスキャナ１３などの読取装置と、読取装置によって読取った商品コードに基づいて、企画販売に固有に割り当てられる識別子と、当該企画販売を行う商品の商品コードを含む企画内容を格納する企画マスタ２０２Ｂを有するストアコントローラ２に企画内容を問い合わせ、ストアコントローラ２が受信した商品コードに基づいて企画マスタ２０２Ｂを検索し、当該商品コードが属する企画名を有する商品すべてを読み出して送信した企画内容を受信し、受信した企画内容を表示装置に表示させる制御部１０１と、を備える。
【００３７】
従って、本実施形態の商品検索装置、商品検索サーバ、及び商品検索プログラムは、企画販売において効率の良い商品収集作業を支援できるという効果がある。
【００３８】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３９】
１：商品検索装置
２：商品検索サーバ
１１：表示装置
１２：入力装置
１３：読取装置
【図１】
2015170086.tif 000003
【図２】
2015170086.tif 000004
【図３】
2015170086.tif 000005
【図４】
2015170086.tif 000006
【図５】
2015170086.tif 000007
【図６】
2015170086.tif 000008
【図７】
2015170086.tif 000009
【図８】
2015170086.tif 000010